(57)【特許請求の範囲】
【請求項１】
液吸収性の吸収性本体と、前記吸収性本体の非肌側に接合された胴回り部材と、を有す
る吸収性物品であって、
冷感剤が設けられた冷感剤配置領域と、
前記冷感剤の存在を示す視認領域と、
を有し、
前記吸収性物品を展開した状態で厚さ方向に見たときに、前記冷感剤配置領域と前記視認領域とが少なくとも一部で重複または隣接しており、
前記胴回り部材を構成する複数のシートのうち少なくとも何れかを厚さ方向に貫通する貫通孔を有し、
複数の前記貫通孔が設けられた第１開孔領域と、前記第１開孔領域よりも単位面積当たりに設けられた前記貫通孔の数が少ない第２開孔領域とを有し、
前記視認領域は、前記第１開孔領域及び前記第２開孔領域のうち何れか一方である、ことを特徴とする吸収性物品。
【請求項２】
液吸収性の吸収性本体と、前記吸収性本体の非肌側に接合された胴回り部材と、を有す
る吸収性物品であって、
冷感剤が設けられた冷感剤配置領域と、
前記冷感剤の存在を示す視認領域と、
を有し、
前記吸収性物品を展開した状態で厚さ方向に見たときに、前記冷感剤配置領域と前記視認領域とが少なくとも一部で重複または隣接しており、
互いに交差する上下方向と左右方向とを有し、
前記胴回り部材は、前記左右方向に伸縮する胴回り弾性部材を複数有し、
前記胴回り弾性部材が所定の色で着色された第１弾性部材着色領域と、前記胴回り弾性部材が前記所定の色とは異なる色で着色された若しくは着色されていない第２弾性部材着色領域とを有し、
前記視認領域は、前記第１弾性部材着色領域及び前記第２弾性部材着色領域のうち何れか一方である、ことを特徴とする吸収性物品。
【請求項３】
請求項２に記載の吸収性物品であって、
前記所定の色は、マンセル色相環の５ＧＹ〜５ＰＢの範囲に含まれる色である、ことを特徴とする吸収性物品。
【請求項４】
請求項１〜３の何れか１項に記載の吸収性物品であって、
前記吸収性物品を折り畳む際に、前記吸収性物品の一部の領域を折り曲げるための折り曲げ線を有し、
前記厚さ方向に見たときに、前記視認領域と前記折り曲げ線とが重複する部分を有している、ことを特徴とする吸収性物品。
【請求項５】
液吸収性の吸収性本体と、前記吸収性本体の非肌側に接合された胴回り部材と、を有す
る吸収性物品であって、
冷感剤が設けられた冷感剤配置領域と、
前記冷感剤の存在を示す視認領域と、
を有し、
前記吸収性物品を展開した状態で厚さ方向に見たときに、前記冷感剤配置領域と前記視認領域とが少なくとも一部で重複または隣接しており、
互いに交差する上下方向と左右方向とを有し、
前記胴回り部材は、前側胴回り部と、後側胴回り部とを有し、
前記左右方向の両端部に、前記前側胴回り部と前記後側胴回り部とを接合するサイド接合部を有し、
前記厚さ方向に見たときに、前記視認領域と前記サイド接合部とが重複する部分を有している、ことを特徴とする吸収性物品。
【請求項６】
液吸収性の吸収性本体と、前記吸収性本体の非肌側に接合された胴回り部材と、を有す
る吸収性物品であって、
冷感剤が設けられた冷感剤配置領域と、
前記冷感剤の存在を示す視認領域と、
を有し、
前記吸収性物品を展開した状態で厚さ方向に見たときに、前記冷感剤配置領域と前記視認領域とが少なくとも一部で重複または隣接しており、
互いに交差する上下方向と左右方向とを有し、
前記視認領域は、
少なくとも一部の領域が所定の色で着色された第１着色領域と、前記所定の色とは異なる色で着色された若しくは着色されていない第２着色領域とのうち、何れかの領域である第１視認領域と、
前記胴回り部材に設けられ前記左右方向に伸縮する胴回り弾性部材が前記所定の色で着色された第１弾性部材着色領域と、前記胴回り弾性部材が前記所定の色とは異なる色で着色された若しくは着色されていない第２弾性部材着色領域とのうち、何れかの領域である第２視認領域と、
前記胴回り部材を構成する複数のシートのうち少なくとも何れかを厚さ方向に貫通する貫通孔が複数設けられた第１開孔領域と、前記第１開孔領域よりも単位面積当たりに設けられた前記貫通孔の数が少ない第２開孔領域とのうち、何れかの領域である第３視認領域と、
を有し、
前記厚さ方向に見たときに、前記第１視認領域と前記第２視認領域と前記第３視認領域のうち少なくとも２つが重複する部分を有している、ことを特徴とする吸収性物品。
【請求項７】
請求項１〜６の何れか１項に記載の吸収性物品であって、
前記視認領域は、前記胴回り部材に設けられている、ことを特徴とする吸収性物品。
【請求項８】
請求項７に記載の吸収性物品であって、
互いに交差する上下方向と左右方向とを有し、
前記視認領域は、前記胴回り部材の前記上下方向における中央位置よりも上側に配置されている、ことを特徴とする吸収性物品。
【請求項９】
請求項７または８に記載の吸収性物品であって、
前記胴回り部材は、前側胴回り部と、後側胴回り部とを有し、
前記視認領域は、前記後側胴回り部に設けられている、ことを特徴とする吸収性物品。
【請求項１０】
請求項７〜９の何れか１項に記載の吸収性物品であって、
前記胴回り部材は、肌側シートと、非肌側シートと、前記肌側シートの肌側に積層された肌面シートと、を有し、
前記視認領域は、前記肌面シートに設けられている、ことを特徴とする吸収性物品。
【請求項１１】
請求項１〜１０の何れか１項に記載の吸収性物品であって、
互いに交差する上下方向と左右方向とを有し、
前記視認領域は、前記上下方向及び前記左右方向の少なくとも一方において不連続な部分を有している、ことを特徴とする吸収性物品。
【請求項１２】
請求項１〜１１の何れか１項に記載の吸収性物品であって、
互いに交差する上下方向と左右方向とを有し、
包装される際には、前記上下方向及び前記左右方向の少なくとも１箇所で折り畳まれ、
折り畳まれた状態において、前記視認領域の少なくとも一部が視認可能である、ことを特徴とする吸収性物品。
【請求項１３】
液吸収性の吸収性本体と、前記吸収性本体の非肌側に接合された胴回り部材と、を有す
る吸収性物品であって、
冷感剤が設けられた冷感剤配置領域と、
前記冷感剤の存在を示す視認領域と、
を有し、
前記吸収性物品を展開した状態で厚さ方向に見たときに、前記冷感剤配置領域と前記視認領域とが少なくとも一部で重複または隣接しており、
前記視認領域の面積よりも、前記冷感剤配置領域の面積の方が大きい、ことを特徴とする吸収性物品。
【請求項１４】
請求項１〜１２の何れか１項に記載の吸収性物品であって、
前記胴回り部材は、肌側シートと、非肌側シートと、前記肌側シートの肌側に積層された肌面シートと、を有し、
前記視認領域は、前記肌面シートの全体に亘って設けられており、
前記冷感剤配置領域は、前記肌面シートの一部の領域に設けられている、ことを特徴とする吸収性物品。
【請求項１５】
請求項１４に記載の吸収性物品であって、
互いに交差する上下方向と左右方向とを有し、
前記左右方向の中央部において、前記視認領域が設けられており、前記冷感剤配置領域が設けられていない、ことを特徴とする吸収性物品。
【発明の詳細な説明】
【技術分野】
【０００１】
本発明は、吸収性物品に関する。
【背景技術】
【０００２】
従来、胴回り部材と吸収性本体とを備えたパンツ型使い捨ておむつ等の吸収性物品において、着用者に清涼感を与えるため、胴回り部材に冷感剤や香料等の機能材を配置する技術が知られている。例えば、特許文献１には、腹側部Ａ及び背側部Ｃ（胴回り部材に相当）のウエスト域に、大気圧下で香気成分を大気中に発散する香料を含んだパンツ型吸収性物品が開示されている。
【先行技術文献】
【特許文献】
【０００３】
【特許文献１】特開２０１８−１０２６１２号公報
【発明の概要】
【発明が解決しようとする課題】
【０００４】
特許文献１に開示されているような吸収性物品に設けられる冷感剤や香料（機能材）は、一般に無色透明である等、視認できない場合が多かった。そのため、吸収性物品を手にしたユーザーに、清涼感や快適感を想起させることが困難であった。
【０００５】
本発明は、上記のような従来の問題に鑑みてなされたものであって、その目的は、ユーザーに対して清涼感や快適感を想起させやすい吸収性物品を提供することにある。
【課題を解決するための手段】
【０００６】
上記目的を達成するための主たる発明は、
液吸収性の吸収性本体と、前記吸収性本体の非肌側に接合された胴回り部材と、を有す
る吸収性物品であって、
冷感剤が設けられた冷感剤配置領域と、
前記冷感剤の存在を示す視認領域と、
を有し、
前記吸収性物品を展開した状態で厚さ方向に見たときに、前記冷感剤配置領域と前記視認領域とが少なくとも一部で重複または隣接しており、
前記胴回り部材を構成する複数のシートのうち少なくとも何れかを厚さ方向に貫通する貫通孔を有し、
複数の前記貫通孔が設けられた第１開孔領域と、前記第１開孔領域よりも単位面積当たりに設けられた前記貫通孔の数が少ない第２開孔領域とを有し、
前記視認領域は、前記第１開孔領域及び前記第２開孔領域のうち何れか一方である、ことを特徴とする。
本発明の他の特徴については、本明細書及び添付図面の記載により明らかにする。
【発明の効果】
【０００７】
本発明によれば、ユーザーに対して清涼感や快適感を想起させやすい吸収性物品を提供することができる。
【図面の簡単な説明】
【０００８】
【図１】おむつ１の概略斜視図である。
【図２】展開且つ伸長状態のおむつ１の平面図である。
【図３】図２のＡ−Ａ線での概略断面図である。
【図４】展開かつ伸長状態のおむつ１において、冷感剤配置領域７０及び視認領域８０の配置の一例について示す平面図である。
【図５】おむつ１の着用時における着用者の身体と冷感剤配置領域７０との位置関係について説明する図である。
【図６】視認領域８０の配置を変更した一例を示す図である。
【図７】視認領域８０の変形例について表す平面図である。
【図８】視認領域８０の他の変形例について表す平面図である。
【図９】図９Ａ〜図９Ｃは、パンツ型状態のおむつ１を包装する際の折り畳み方の一例について説明する図である。
【図１０】おむつ１の胴回り部材２０の変形例について表す概略断面図である。
【発明を実施するための形態】
【０００９】
本明細書及び添付図面の記載により、少なくとも以下の事項が明らかとなる。
液吸収性の吸収性本体と、前記吸収性本体の非肌側に接合された胴回り部材と、を有する吸収性物品であって、冷感剤が設けられた冷感剤配置領域と、前記冷感剤の存在を示す視認領域と、を有し、前記吸収性物品を展開した状態で厚さ方向に見たときに、前記冷感剤配置領域と前記視認領域とが少なくとも一部で重複または隣接している、ことを特徴とする吸収性物品。
【００１０】
このような吸収性物品によれば、ユーザーは、視認領域を視認することによって、吸収性物品に冷感剤が設けられていることを認識することができる。これにより、ユーザーに清涼感や快適感を想起させやすくすることができる。
【００１１】
かかる吸収性物品であって、前記胴回り部材を構成する複数のシートのうち少なくとも何れかを厚さ方向に貫通する貫通孔を有し、複数の前記貫通孔が設けられた第１開孔領域と、前記第１開孔領域よりも単位面積当たりに設けられた前記貫通孔の数が少ない第２開孔領域とを有し、前記視認領域は、前記第１開孔領域及び前記第２開孔領域のうち何れか一方である、ことが望ましい。
【００１２】
このような吸収性物品によれば、周囲とは異なる開孔率を有する領域を視覚的に識別させることにより、ユーザーに冷感剤の存在を認識させ、清涼感や快適感を想起させやすくすることができる。
【００１３】
かかる吸収性物品であって、少なくとも一部の領域が所定の色で着色された第１着色領域と、前記所定の色とは異なる色で着色された若しくは着色されていない第２着色領域とを有し、前記視認領域は、前記第１着色領域及び前記第２着色領域のうち何れか一方である、ことが望ましい。
【００１４】
このような吸収性物品によれば、周囲とは異なる色を有する領域を視覚的に識別させることにより、ユーザーに冷感剤の存在を認識させ、清涼感や快適感を想起させやすくすることができる。
【００１５】
かかる吸収性物品であって、互いに交差する上下方向と左右方向とを有し、前記胴回り部材は、前記左右方向に伸縮する胴回り弾性部材を複数有し、前記胴回り弾性部材が所定の色で着色された第１弾性部材着色領域と、前記胴回り弾性部材が前記所定の色とは異なる色で着色された若しくは着色されていない第２弾性部材着色領域とを有し、前記視認領域は、前記第１弾性部材着色領域及び前記第２弾性部材着色領域のうち何れか一方である、ことが望ましい。
【００１６】
このような吸収性物品によれば、周囲とは色の異なる色を有する弾性部材が配置された領域を視覚的に識別させることにより、ユーザーに冷感剤の存在を認識させ、清涼感や快適感を想起させやすくすることができる。
【００１７】
かかる吸収性物品であって、前記所定の色は、マンセル色相環の５ＧＹ〜５ＰＢの範囲に含まれる色である、ことが望ましい。
【００１８】
このような吸収性物品によれば、マンセル色相環の５ＧＹ〜５ＰＢ（緑〜青）の範囲に含まれる寒色系の色は、一般的に、寒さや冷たさを感じさせ、鎮静効果を生じさせる色であることから、そのような寒色系の色を視認させることで、ユーザーに対して、冷感剤による清涼感や快適感をより想起させやすくすることができる。
【００１９】
かかる吸収性物品であって、前記吸収性物品を折り畳む際に、前記吸収性物品の一部の領域を折り曲げるための折り曲げ線を有し、前記厚さ方向に見たときに、前記視認領域と前記折り曲げ線とが重複する部分を有している、ことが望ましい。
【００２０】
このような吸収性物品によれば、折り曲げ線にて吸収性物品が厚さ方向に凸状に変形し、凸形状の頂点においてシート部材同士が厚さ方向に密着する。したがって、視認領域が他のシート部材と厚さ方向に密着することで色が濃く見えるようになる。これにより、ユーザーに冷感剤の存在を認識させやすくすることができる。
【００２１】
かかる吸収性物品であって、互いに交差する上下方向と左右方向とを有し、前記胴回り部材は、前側胴回り部と、後側胴回り部とを有し、前記左右方向の両端部に、前記前側胴回り部と前記後側胴回り部とを接合するサイド接合部を有し、前記厚さ方向に見たときに、前記視認領域と前記サイド接合部とが重複する部分を有している、ことが望ましい。
【００２２】
このような吸収性物品によれば、サイド接合部と重複する部分では、前側胴回り部及び後側胴回り部に対して視認領域（着色部）が厚さ方向に押し付けられ、色が濃く見えるようになる。したがって、ユーザーに冷感剤の存在を認識させやすくすることができる。
【００２３】
かかる吸収性物品であって、互いに交差する上下方向と左右方向とを有し、前記視認領域は、少なくとも一部の領域が所定の色で着色された第１着色領域と、前記所定の色とは異なる色で着色された若しくは着色されていない第２着色領域とのうち、何れかの領域である第１視認領域と、前記胴回り部材に設けられ前記左右方向に伸縮する胴回り弾性部材が前記所定の色で着色された第１弾性部材着色領域と、前記胴回り弾性部材が前記所定の色とは異なる色で着色された若しくは着色されていない第２弾性部材着色領域とのうち、何れかの領域である第２視認領域と、前記胴回り部材を構成する複数のシートのうち少なくとも何れかを厚さ方向に貫通する貫通孔が複数設けられた第１開孔領域と、前記第１開孔領域よりも単位面積当たりに設けられた前記貫通孔の数が少ない第２開孔領域とのうち、何れかの領域である第３視認領域と、を有し、前記厚さ方向に見たときに、前記第１視認領域と前記第２視認領域と前記第３視認領域のうち少なくとも２つが重複する部分を有している、ことが望ましい。
【００２４】
このような吸収性物品によれば、２種類以上の視認領域が重なっていることにより、ユーザーの視認性がより高まり、冷感剤の存在をより認識させやすくすることができる。したがって、吸収性物品の清涼感や快適感をより想起させやすくすることができる。
【００２５】
かかる吸収性物品であって、前記視認領域は、前記胴回り部材に設けられている、ことが望ましい。
【００２６】
このような吸収性物品によれば、ユーザーは、胴回り部材に冷感剤が設けられていることを認識しやすく、着用時に発汗が生じやすい胴回り域において清涼感や快適性を想起しやすくなる。したがって、ユーザーは安心して吸収性物品を着用することができるようになる。
【００２７】
かかる吸収性物品であって、互いに交差する上下方向と左右方向とを有し、前記視認領域は、前記胴回り部材の前記上下方向における中央位置よりも上側に配置されている、ことが望ましい。
【００２８】
このような吸収性物品によれば、着用時において、胴回り部材の上側の領域ほど、発汗量が多く汗が溜まり易いため、蒸れが生じやすくなる。そこで、上下方向における中央位置よりも上側に視認領域を配置しておくことで、当該上側の領域に冷感剤が設けられていることをユーザーに認識させやすくすることができる。
【００２９】
かかる吸収性物品であって、前記胴回り部材は、前側胴回り部と、後側胴回り部とを有し、前記視認領域は、前記後側胴回り部に設けられている、ことが望ましい。
【００３０】
このような吸収性物品によれば、着用者の身体は、通常、後側（背側）胴回りの方が前側よりも汗腺の数が多く、汗をかきやすいので、後側胴回り部に視認領域を配置して、ユーザーに冷感剤の存在を認識させることにより、汗をかきやすい背側においてユーザーに清涼感や快適感をより想起させやすくすることができる。
【００３１】
かかる吸収性物品であって、前記胴回り部材は、肌側シートと、非肌側シートと、前記肌側シートの肌側に積層された肌面シートと、を有し、前記視認領域は、前記肌面シートに設けられている、ことが望ましい。
【００３２】
このような吸収性物品によれば、ユーザーは、胴回り部材の肌側面において視認領域を視認しやすくなるので、吸収性物品の着用時において着用者の肌と当接する胴回り部材の肌側面付近に冷感剤が設けられていることを認識しやすく、清涼感や快適感をより想起しやすくなる。
【００３３】
かかる吸収性物品であって、互いに交差する上下方向と左右方向とを有し、前記視認領域は、前記上下方向及び前記左右方向の少なくとも一方において不連続な部分を有している、ことが望ましい。
【００３４】
このような吸収性物品によれば、視認領域が不連続部分を有していることにより、当該視認領域の連続部と不連続部との境界部にコントラストが生じやすく、ユーザーは着視認領域を識別しやすくなる。これにより、ユーザーに冷感剤の存在を認識させやすくすることができる。
【００３５】
かかる吸収性物品であって、互いに交差する上下方向と左右方向とを有し、包装される際には、前記上下方向及び前記左右方向の少なくとも１箇所で折り畳まれ、折り畳まれた状態において、前記視認領域の少なくとも一部が視認可能である、ことが望ましい。
【００３６】
このような吸収性物品によれば、折り畳まれた状態で外側から視認領域を視認することが可能であるため、ユーザーが包装体から吸収性物品を取り出した時点で、視認領域を視認することが可能であり、冷感剤が設けられていることを認識できるようになる。したがって、吸収性物品の使用開始前からユーザーに清涼感や快適感を想起させやすくすることができる。
【００３７】
かかる吸収性物品であって、前記視認領域の面積よりも、前記冷感剤配置領域の面積の方が大きい、ことが望ましい。
【００３８】
このような吸収性物品によれば、ユーザーは、視認領域が配置されている範囲内で冷感剤による冷感効果が生じることを一見して理解しやすくなる。これにより、ユーザーは安心して吸収性物品を着用することができるようになる。
【００３９】
かかる吸収性物品であって、前記胴回り部材は、肌側シートと、非肌側シートと、前記肌側シートの肌側に積層された肌面シートと、を有し、前記視認領域は、前記肌面シートの全体に亘って設けられており、前記冷感剤配置領域は、前記肌面シートの一部の領域に設けられている、ことが望ましい。
【００４０】
このような吸収性物品によれば、肌面シートの広い範囲（全体）に視認領域が配置されていることにより、ユーザーは、吸収性物品を着用した際に、胴回り領域の広い範囲で冷感効果が生じ、清涼感や快適感を得られることを容易に把握することができる。
【００４１】
かかる吸収性物品であって、互いに交差する上下方向と左右方向とを有し、前記左右方向の中央部において、前記視認領域が設けられており、前記冷感剤配置領域が設けられていない、ことが望ましい。
【００４２】
このような吸収性物品によれば、左右方向の中央部は、吸収性物品の着用時において着用者の肌と当接し難く清涼感や快適感には寄与し難い領域であるため、冷感剤を設けないことで、冷感剤の配置コストを低減させることができる。一方、中央部に視認領域が配置されていることで、ユーザーは視認領域の全体として冷感効果が生じることを想起するため、安心して吸収性物品を着用することができる。
【００４３】
＝＝＝実施形態＝＝＝
本発明に係る型吸収性物品として、パンツ型使い捨ておむつ（以下、「おむつ１」とも呼ぶ）を例に挙げて説明する。ただし、本発明に係る吸収性物品には、ショーツ型ナプキンやその他のパンツ（ショーツ）型吸収性物品も含まれるものとする。
【００４４】
＜おむつ１の構成＞
図１は、おむつ１の概略斜視図である。図２は、展開且つ伸長状態のおむつ１の平面図である。図３は、図２のＡ−Ａ線での概略断面図である。なお、おむつ１の「伸長状態」とは、おむつ１全体（製品全体）を皺なく伸長させた状態、具体的には、おむつ１を構成する各部材（例えば、後述する吸収性本体１０や，胴回り部材２０等）の寸法がその部材単体の寸法と一致又はそれに近い寸法になるまで伸長させた状態のことを言う。
【００４５】
おむつ１は、図１に示されるパンツ型状態において、互いに交差する上下方向と左右方向と前後方向とを有し、胴回り開口ＢＨと一対の脚回り開口ＬＨ，ＬＨとを有している。上下方向の上側が胴回り開口ＢＨ側に対応し、下側が股下側に対応する。また、前後方向の前側が着用者の腹側に対応し、後側が着用者の背側に対応する。また、図２の展開状態において、おむつ１は、互いに交差する縦方向と横方向とを有する。縦方向は、図１における上下方向に沿った方向であり、吸収性本体１０の長手方向に相当する。横方向は、図１における左右方向に沿った方向である。また、図３に示すように、おむつ１を構成する資材が積層された方向を厚さ方向とする。厚さ方向において着用者の肌と接する側を肌側とし、その反対側を非肌側とする。
【００４６】
おむつ１は、液吸収性の吸収性本体１０と、吸収性本体１０の非肌側に配置された胴回り部材２０とを有している。そして、胴回り部材２０は、おむつ１の前身頃に相当する前側胴回り部３０と、おむつ１の後身頃に相当する後側胴回り部４０とを有している。すなわち、本実施形態のおむつ１は、第１部品として、着用者の股間部にあてがわれ尿等の排泄物を吸収する吸収性本体１０を有し、第２部品として、着用者の腹側部を覆う前側胴回り部３０を有し、第３部品として、着用者の背側部を覆う後側胴回り部４０を有する、所謂３ピースタイプのパンツ型おむつである。
【００４７】
図２の展開状態では、前側胴回り部３０と後側胴回り部４０とが互いに縦方向に間隔を空けて平行に並んだ状態で、これらの間に吸収性本体１０が掛け渡されている。そして、吸収性本体１０の長手方向（図２の縦方向に相当）の各端部１０ｅａ，１０ｅｂが、それぞれ本体接合部６０を介して最寄りの胴回り部３０，４０の肌側に接合固定されている。具体的には、吸収性本体１０と前側胴回り部３０とが厚さ方向に重複している前側重複領域ＯＬ３０において、ホットメルト接着剤等の接着剤によって形成された前側本体接合部６１（本体接合部６０）によって、吸収性本体１０の非肌側面と前側胴回り部３０の肌側面とが接合されている（図２及び図３参照）。同様に、吸収性本体１０と後側胴回り部４０とが厚さ方向に重複している後側重複領域ＯＬ４０において、ホットメルト接着剤等の接着剤によって形成された後側本体接合部６２（本体接合部６０）によって、吸収性本体１０の非肌側面と後側胴回り部４０の肌側面とが接合されている。
【００４８】
そして、この展開状態から、縦方向の中央位置ＣＬを折り位置（二つ折り線）として吸収性本体１０が二つ折りされる。この二つ折りの状態において互いに対向する前側胴回り部３０と後側胴回り部４０とが、左右方向両側の側部３０ｓｗ及び側部４０ｓｗにて互いに接合・連結され、一対のサイド接合部５０，５０が形成される。すなわち、一対のサイド接合部５０，５０によって前側胴回り部３０と後側胴回り部４０とが環状に成形される。なお、サイド接合部５０は、溶着や接着等の公知の接合手段によって形成されている。これにより、図１に示すような胴回り開口ＢＨ及び一対の脚回り開口ＬＨ，ＬＨが形成されたパンツ型状態のおむつ１となる。
【００４９】
（吸収性本体１０）
吸収性本体１０は、排泄液を吸収する吸収性コア１１と、吸収性コア１１よりも厚さ方向の肌側に配置されたトップシート１２と、吸収性コア１１よりも非肌側に配置されたバックシート１３とを有する（図３参照）。但し、吸収性本体１０が、これ以外のシート部材を備えていても良い。例えば、トップシート１２と吸収性コア１１との厚さ方向の間に、セカンドシート（不図示）を備えていてもよい。
【００５０】
吸収性コア１１は、尿等の排泄液を吸収して保持する部材であり、例えば高吸収性ポリマー（ＳＡＰ）が混入したパルプ繊維等の液体吸収性繊維により形成される。なお、吸収性コア１１は、ティッシュペーパーや不織布等の液透過性のシート部材（コアラップシート１１ｂ）によって、外周面が覆われていても良い。本実施形態の吸収性コア１１は、長手方向の前側端と後側端との間に、左右方向における幅が狭くなったくびれ部１１ｃを有しており、図１に示されるような平面視略砂時計形状を有している。このくびれ部１１ｃは、おむつ１の着用時において着用者の両脚の間に挟まれる部分であり、当該部分の左右方向における長さが短く（幅が狭く）なっていることにより、吸収性コア１１が着用者の股間にフィットしやすくなる。
【００５１】
トップシート１２は、液透過性のシートであり、例えば親水性のエアスルー不織布やスパンボンド不織布等が用いられる。なお、トップシート１２は、左右方向の両側部が厚さ方向の肌側から非肌側に折り返され、吸収性コア１１を包み込むように構成されていても良い（図３では不図示）。
【００５２】
バックシート１３は、液不透過性シート１３ａと、その非肌側に配された疎水性の外装シート１３ｂと、の二層構造である。液不透過性シート１３ａとしては、例えば樹脂フィルム等が用いられ、外装シート１３ｂとしては、例えば柔軟性を有する不織布が用いられる。
【００５３】
また、吸収性本体１０の左右方向の両側部に、縦方向（吸収性本体１０の長手方向）に沿って一対の防漏壁部（図３では不図示）が設けられていても良い。例えば、左右方向（横方向）において、外装シート１３ｂの一部が吸収性コア１１の両端よりも外側に延出しつつ、肌側に折り曲げられることによって、一対の防漏壁部を形成することができる。このような防漏壁部を設けることにより、おむつ１の着用時において、吸収性本体１０によって吸収された排泄物が横漏れしてしまうことを抑制しやすくなる。
【００５４】
（前側胴回り部３０）
前側胴回り部３０は、図３に示されるように、厚さ方向の肌側に配置された肌側シート３１と、肌側シート３１の非肌側に隣接するように積層された非肌側シート３２と、肌側シート３１と非肌側シート３２との厚さ方向の間に設けられた胴回り弾性部材３５とを有する。
【００５５】
肌側シート３１及び非肌側シート３２は、図２に示されるような平面視長方形状のシート部材であり、例えばＳＭＳ（スパンボンド―メルトブローン―スパンボンド）不織布等によって形成されている。
【００５６】
胴回り弾性部材３５は、例えば糸ゴム等によって形成され、肌側シート３１と非肌側シート３２との間に、上下方向に並んで複数配置されるとともに、左右方向に伸長された状態で取り付けられている。この胴回り弾性部材３５が発現する伸縮性によって、前側胴回り部３０は、着用者の腹側胴回りにフィットする。
【００５７】
胴回り弾性部材３５の取り付けは、ホットメルト接着剤等の接着剤を用いて行うことができる。例えば、胴回り弾性部材３５にホットメルト接着剤を塗布して所定の伸長倍率で伸長させ、肌側シート３１と非肌側シート３２とで挟み込むことによって胴回り弾性部材３５を取り付けることができる。すなわち、胴回り弾性部材３５を介して肌側シート３１と非肌側シート３２とが接着剤によって接合される。なお、胴回り弾性部材３５側に接着剤を塗布するのではなく、肌側シート３１及び非肌側シート３２側に接着剤を塗布することによって胴回り弾性部材３５が取り付けられるのであっても良い。
【００５８】
また、前側胴回り部３０の最も肌側の面の一部には、肌面シート３６が積層されている。肌面シート３６は、図３に示されるように、吸収性本体１０の腹側の上端１０ｅａ（縦方向における前側端）を肌側から覆う（上下方向に跨ぐ）ように配置されたシート部材であり、カバーシートとしての機能を有している。これにより、おむつ１の着用時に吸収性本体１０の上端エッジが着用者の肌に食い込んでしまうことが抑制される。肌面シート３６は、例えばＳＭＳ不織布等によって形成されている。また、肌面シート３６は、左右方向に伸縮性を有するシート部材（例えば伸縮性不織布）であってもよい。
【００５９】
（後側胴回り部４０）
後側胴回り部４０は、前側胴回り部３０と略同様の構成を有する。すなわち、後側胴回り部４０は、厚さ方向の肌側に配置された肌側シート４１と、肌側シート４１の非肌側に隣接するように積層された非肌側シート４２と、肌側シート４１と非肌側シート４２との厚さ方向の間に設けられた複数の胴回り弾性部材４５と、を有する。各部材の構成は、前側胴回り部３０とほぼ同様であるため、説明は省略する。
【００６０】
一方、後側胴回り部４０の外観形状は、前側胴回り部３０とは異なっている。具体的に、後側胴回り部４０は、図２のように、サイド接合部５０（側部４０ｓｗ）よりも上下方向の下側が略台形形状となった臀部カバー４０ｂを有している。臀部カバー４０ｂは、上下方向の上側から下側に向かって左右方向の幅が狭くなっており、その外縁が湾曲した部位である。臀部カバー４０ｂが設けられていることによって、おむつ１の着用時に後側胴回り部４０が着用者の臀部を広く被覆することが可能となっている。
【００６１】
そして、臀部カバー４０ｂには、図２に示されるような糸ゴム等の後脚回り弾性部材４７が設けられている。後脚回り弾性部材４７は、臀部カバー４０ｂの周縁部に沿って伸長した状態で肌側シート４１と非肌側シート４２との間に取り付けられており、該後脚回り弾性部材４７が発現する伸縮性によって、おむつ１着用時に、後側胴回り部４０の臀部カバー４０ｂが着用者の臀部にフィットしやすくなり、また、臀部から捲れにくくなる。
【００６２】
また、前側胴回り部３０と同様に、後側胴回り部４０の最も肌側の面の一部には、肌面シート４６が積層されている。肌面シート４６は、図３に示されるように、吸収性本体１０の背側の上端１０ｅｂ（縦方向における後側端）を肌側から覆う（上下方向に跨ぐ）ように配置されたシート部材である。さらに、おむつ１の後側胴回り部４０は、肌面シート４６と肌側シート４１との厚さ方向の間に冷感剤が設けられた冷感剤配置領域７０、及び、冷感剤の存在を示す視認領域８０を有している。
【００６３】
＜冷感剤配置領域７０＞
図４は、展開かつ伸長状態のおむつ１において、冷感剤配置領域７０及び視認領域８０の配置の一例について示す平面図である。図４に示されるように、本実施形態のおむつ１は、胴回り部材２０のうち後側胴回り部４０の一部の領域に冷感剤が設けられた冷感剤配置領域７０を有している。冷感剤は、例えば、面状、線状、スパイラル状、Ｚ状、線状、ドット状等の形状で配置されている。
【００６４】
本実施形態で用いられる冷感剤としては、当技術分野で一般的に冷感剤として知られているものを使用可能であるが、揮発性を有し、皮膚の神経にある受容体活性化チャネル（ＴＲＰＭ８）に作用するものが好ましい。例えば、メントール（例として、ｌ−メントール）及びその誘導体（例えば、乳酸メンチル）、サリチル酸メチル、カンファー、キュウリエキス、植物（例えば、ミント、ユーカリ、ナツメグ）由来の精油等が挙げられる。また、これらの冷感剤を内包する水崩壊性のマイクロカプセルが所定の領域に塗布されることによって冷感剤配置領域７０が形成されるのであっても良い。マイクロカプセルの詳細については、後で説明する。
【００６５】
図４の例では、上下方向において後側胴回り部４０の上方領域、すなわち、上下方向において後側胴回り部４０の下端４０ｅｄよりも上端４０ｅｕに近い位置に、一対の冷感剤配置領域７０，７０が設けられている。一対の冷感剤配置領域７０，７０は、左右方向に所定距離ｇｗ７０だけ離間して配置されている。そして、一対の冷感剤配置領域７０，７０は、それぞれ左右方向（横方向）に帯状に延びる第１冷感剤配置領域７１と第１冷感剤配置領域７１よりも上下方向の下側に設けられた第２冷感剤配置領域７２とを有している。第１冷感剤配置領域７１と第２冷感剤配置領域７２とは、上下方向に所定距離ｇｌ７０だけ離間して配置されている。
【００６６】
また、胴回り部材２０（後側胴回り部４０）において、冷感剤（マイクロカプセル）が設けられていない領域を冷感剤非配置領域７５とする。例えば、図４において、一対の冷感剤配置領域７０，７０の左右方向における間の領域（ｇｗ７０で表される領域）は冷感剤非配置領域７５である。同様に、第１冷感剤配置領域７１と第２冷感剤配置領域７２との上下方向における間の領域（ｇｌ７０で表される領域）も冷感剤非配置領域７５である。
【００６７】
なお、おむつ１を市場に流通させる際には、後述するように折り畳んで梱包された状態で出荷されるが（図９参照）、製品搬送時や、ユーザが購入したおむつ１を開封する際に、冷感剤（マイクロカプセル）が冷感剤配置領域７０から離脱して、おむつ１の他の領域（冷感剤非配置領域７５）に付着する可能性がある。また、おむつ１の着用時において、着用者が身体を動かしたり、不織布同士が擦れたりすることによって同様に冷感剤（マイクロカプセル）が冷感剤配置領域７０から離脱してしまう可能性がある。すなわち、冷感剤非配置領域７５であっても、実質的に１％未満程度の確率で冷感剤（マイクロカプセル）を含有している可能性がある。しかしながら、本実施形態において、このように意図せず脱落した冷感剤（マイクロカプセル）が付着している領域は、冷感剤配置領域７０には含まれないものとする。すなわち、冷感剤配置領域７０と比較して、冷感剤（マイクロカプセル）の濃度が明らかに低い領域、若しくは冷感剤の濃度が一定値以下の領域も冷感剤非配置領域７５とする。
【００６８】
図５は、おむつ１の着用時における着用者の身体と冷感剤配置領域７０との位置関係について説明する図である。図５に示されるように、冷感剤配置領域７０は、おむつ１を着用した際に、着用者の背側において上後腸骨棘から腸骨陵にかけての領域と当接する部位に配置されている。この部位は、腸骨陵の出っ張りにより、胴回り部材２０が着用者の肌に密着しやすく、冷感剤配置領域７０に設けられた冷感剤による冷感効果を着用者に感じさせやすくすることができる。また、着用者が座っている場合や寝姿勢を取っている場合には、当該部位において胴回り部材２０が肌に押し付けられて汗をかきやすくなる。そのため、図５に示されるような位置に冷感剤配置領域７０が設けられていることにより、冷感剤による快適性をより高めることができる。
【００６９】
また、一対の冷感剤配置領域７０，７０の横方向（左右方向）の間の領域（図４においてｇｗ７０で表される領域）は、おむつ１の着用時に左右の腸骨陵の間の窪みに位置している（図５参照）。そのため、このｇｗ７０の領域では胴回り部材２０（後側胴回り部４０）が着用者の身体に密着し難く、冷感効果に寄与し難い領域である。すなわち、左右方向において、冷感剤配置領域７０が連続して設けられている場合と比較して、中央部に非連続部（冷感剤非配置領域７５）が設けられていたとしても、着用者に与える清涼感には差が生じ難い。そこで、中央部には冷感剤を設けないようにすることで、良好な冷感効果を維持しつつ、冷感剤配置のコストを下げることができる。さらに、腸骨陵間で身体と後側胴回り部４０との間の隙間が最も大きくなる領域に冷感剤が配置されていないことにより、上下方向に空気が通り抜けやすくなり、おむつ１着用時に蒸れが生じににくくなる。
【００７０】
ところで、このような冷感剤は、通常、無色透明であることが多く、冷感剤配置領域７０を視認することは困難であるが、例えば、以下のような官能検査を行うことによって冷感剤配置領域７０の位置を確認することができる。先ず、展開状態の胴回り部材２０を区画分け（例えば、縦方向に２０等分、横方向に１０等分）して切り出し、区画分けして切り出した部材をさらに所定のサイズ（例えば、２×２ｃｍ）で複数枚切り出す。そして、切り出した部材を１枚ずつ例えばコールドスプレーで剥がして複数枚のサンプルシート（パッチ）を製作する。次に、サンプルシートと同じサイズのＰＥシート（ポリエチレンシート。一例であって、気密性の高いシートであればよい）をサンプルシート分用意する。次に、１枚目のサンプルシートにＰＥシートを重ね、１枚目のサンプルシートを官能検査における検査者の二の腕の内側にあて、検査者が当該サンプルシートから冷感効果を感じるまでの時間を計測して記録する。かかる官能試験を複数枚のサンプルシートについて実行し、それぞれ時間を計測して記録する。このような官能試験を全区画において行い、全てのサンプルシートについての時間を計測して記録する。そして、各々のサンプルシートの時間を比較することにより、冷感剤が塗布されていたサンプルシートを特定することができる。
【００７１】
また、冷感剤配置領域７０の特定は、例えば、ヘッドスペース固相マイクロ抽出法を用いることができる。具体的には、ガスクロマトグラフ‐質量分析計（例えば、島津製作所製ＧＣＭＳ−ＱＰ２０１０ Ｐｌｕｓ）を用いて、キャリアガスとしてヘリウムを使用し、測定モードを走査法として、電子衝撃イオン化法で測定する。かかる方法においては、各サンプルシートは、折り畳んで小さく丸めた状態としてビーカー内に入れる。ビーカーの上部をアルミ箔で覆い、さらにその上部からプラスチックパラフィンフィルムで覆い、ビーカー内を密封したビーカーを３７度の恒温水槽に入れる。ＳＰＭＥファイバー（シグマアルドリッチ ５０／３９μｍ ＤＶＢ／ＣＡＲ／ＰＤＭＳ、Ｓｔａｂｌｅｆｌｅｘ２ｃｍ）を、アルミ箔を貫通してビーカーに挿入させ、各サンプルシートの香気成分を抽出する。その後、ビーカーから取り出したＳＰＭＥファイバーを、直ちにガスクロマトグラフ‐質量分析計で測定する。これにより得られた各質量をサンプルシートの面積でそれぞれ除した値を算出する。この除した値を比較することで、冷感剤が塗布されていたサンプルシートを特定することができる。
【００７２】
また、冷感剤がマイクロカプセルに封入され、当該マイクロカプセルが水溶性でんぷんから形成されている場合には、ヨウ素等によって着色することによって、冷感剤配置領域７０を可視化することも可能である。また、マイクロカプセルが配置されている領域を電子顕微鏡等で観察して、領域毎に設けられているマイクロカプセルの数を測定することで感剤配置領域７０を判断しても良い。
【００７３】
＜マイクロカプセルについて＞
本明細書において、水崩壊性のマイクロカプセルは、直径１〜１，０００μｍの大きさを有し、芯材（冷感成分）を内包する空間を有するカプセルを意味する。上記カプセルは、芯材を内包し且つ芯材の放出を制御することができるものであれば、その外観形状は特に制限されず、例えば、球形、不定形等の外観形状が挙げられる。また、上記カプセルは、芯材を保持する空間を１つ有する単核型、芯材を保持する空間を複数有する多核型、又は、粒子内部に微粒子状の芯物質が分散する構造、或いは液体状の芯物質が含浸する構造のマトリックス型であることができる。上記空間の形状としては、球形、不定形等の空間形状が挙げられる。
【００７４】
マイクロカプセルにおいては、芯材を内包（或いは含有）する膜材（壁材）が化学的な刺激によって変化し、内包（或いは含有）する成分を放出させる。化学的な刺激としては、例えば、体液等の液体（水溶液）とマイクロカプセルの壁材との接触などが挙げられる。
【００７５】
これらの化学的な刺激をマイクロカプセルの壁材に与えることによって、壁材の崩壊を起こすことができる。この結果、マイクロカプセル内の芯材の放出を開始させるか、又は、刺激前に徐々に放出していた場合には、その放出の程度を促進させることができる。本発明のようにマイクロカプセルが水崩壊性である場合、汗等の液体（体液）と接することにより、内包する冷感成分を放出する程度に崩壊する性質を意味する。具体的には、マイクロカプセルの壁材が水に溶解して崩壊する場合、マイクロカプセルが液体と接触すると、マイクロカプセルが水に膨潤してその強度が低下し、マイクロカプセルが破壊されることにより崩壊する場合等が挙げられる。
【００７６】
本実施形態の吸収性物品１において、マイクロカプセルが水に溶解することにより崩壊する場合には、マイクロカプセルは、２５℃において、水１００ｇに対して、好ましくは１０〜３００ｇ、より好ましくは２０〜２００ｇ、そしてさらに好ましくは３０〜１００ｇの範囲の水溶解度を有する。上記水溶解度は、試験温度を２５℃にした以外は、ＯＥＣＤガイドラインＮｏ．１０５フラスコ法に従って測定される。
【００７７】
また、マイクロカプセルは、当該マイクロカプセルの分散媒である溶媒に不溶であることが好ましく、そして当該マイクロカプセルの分散媒である溶媒に膨潤しないことが好ましい。内包する冷感成分の保護の観点からである。水崩壊性のマイクロカプセルの素材としては、例えば、糖類、例えば、単糖類（例えば、ブドウ糖）、二糖類（例えば、ショ糖）、多糖類（例えば、デキストリン、グルコマンナン、アルギン酸ナトリウム、水溶性でんぷん等）、環状オリゴ糖（シクロデキストリン）、ゼラチン、水溶性ポリマー（例えば、ポリビニルアルコール、ポリ酢酸ビニル等）等が挙げられる。
【００７８】
上記マイクロカプセルは市販されており、例えば、Ｓｙｍｒｉｓｅ社から市販される、ＩＮＣＡＰ（商標）等が挙げられる。
【００７９】
また、上記マイクロカプセルは、水にマイクロカプセルの素材を溶解させて水溶液を形成し、当該水溶液に冷感成分及び界面活性剤を混合し、上記水溶液をスプレーしながら減圧乾燥することにより製造することができる。
【００８０】
上述のマイクロカプセルの分散媒である溶媒としては、冷感成分をマイクロカプセルに内包させたまま保持するものであることが好ましい。そのような溶媒については、日本国特許公開公報２０１６−１３１５４号を参照することができる。
【００８１】
＜視認領域８０＞
上述のように、冷感剤（マイクロカプセル）は無色透明な場合が多く、冷感剤配置領域７０はユーザーに視認され難く、ユーザーに清涼感や快適感を想起させ難い。そこで、本実施形態では、冷感剤配置領域７０（冷感剤）の存在をユーザーに示すための視認領域８０を設け、おむつ１に冷感剤が設けられていることをユーザーに認識させやすくしている。
【００８２】
本実施形態において、視認領域８０は、後側胴回り部４０に設けられた肌面シート４６が青や緑等の寒色系の色で着色された着色部８１によって構成されている。そして、おむつ１の厚さ方向に見たときに、視認領域８０（着色部８１）は冷感剤配置領域７０と重複する部分を有している（図３及び図４参照）。したがって、ユーザーは、視認領域８０を視認することによって、おむつ１に冷感剤が設けられていることを認識することができる。これにより、清涼感や快適感を想起させやすくすることができる。
【００８３】
なお、図４では肌面シート４６のほぼ全領域に亘って着色部８１が形成され、広い範囲に視認領域８０が設けられているが、視認領域８０の範囲はこれに限られず、厚さ方向に見たときに、少なくとも一部が冷感剤配置領域７０と重複していれば冷感剤の存在をユーザーに認識させることが可能である。さらに言うと、視認領域８０は必ずしも冷感剤配置領域７０と重複している必要はない。図６は、視認領域８０の配置を変更した一例を示す図である。同図６では、第１冷感剤配置領域７１及び第２冷感剤配置領域７２と上下方向（縦方向）に隣接するように、左右方向（横方向）に帯状に着色された着色部８１ａ，８１ｂ，８１ｃが設けられている。具体的には、第１冷感剤配置領域７１の上端と隣接して着色部８１ａが設けられ、第２冷感剤配置領域７２の下端と隣接して着色部８１ｂが設けられ、第１冷感剤配置領域７１の下端及び第２冷感剤配置領域７２の上端に隣接して着色部８１ｃが設けられ、これらの着色部８１ａ〜８１ｃによって視認領域８０が構成されている。図６の場合でも、ユーザーは視認領域８０（着色部８１ａ，８１ｂ，８１ｃ）を視認することによって冷感剤が設けられていることを認識することができる。
【００８４】
また、着色部８１が、肌面シート４６ではなく他のシート部材に設けられていても良い。例えば、後側胴回り部４０の肌側シート４１や非肌側シート４２の一部の領域が着色されることによって着色部８１が形成され、当該着色部８１によって視認領域８０が構成されるのであっても良い。この場合も、厚さ方向に見たときに、視認領域８０と冷感剤配置領域７０とが重複または隣接していれば、おむつ１に冷感剤が設けられていることをユーザーに認識させやすくすることができる。
【００８５】
また、本実施形態において、視認領域８０は、ユーザーが視認することによって識別することが可能な領域であればよいので、視認領域８０自体が必ずしも着色されている必要はない。例えば、側胴回り部４０のうち或る領域が着色されておらず、或る領域の周囲が着色されていることにより、当該或る領域を識別することが可能であれば、その或る領域（着色されていない領域）を視認領域８０としても良い。また、或る領域が着色されており、或る領域の周囲が或る領域とは異なる色で着色されていることにより、当該或る領域を識別することが可能であれば、その或る領域を視認領域８０としても良い。
【００８６】
つまり、少なくとも一部の領域が所定の色で着色された第１着色領域と、当該所定の色とは異なる色で着色された、若しくは着色されていない第２着色領域とを有している場合に、第１着色領域及び第２着色領域の何れか一方によって視認領域８０を構成することが可能出である。図４の場合は、着色部８１が第１着色領域に相当し、着色部８１以外の無着色の領域が第２着色領域に相当する。そしてこの場合、第１着色領域と第２着色領域とのうち、第１着色領域（着色部８１）によって視認領域８０が構成されている。このように、周囲とは異なる色を有する領域を視覚的に識別させることにより、ユーザーに冷感剤の存在を認識させ、清涼感や快適感を想起させやすくすることができる。
【００８７】
なお、視認領域８０が着色部８１によって構成される場合、当該着色部８１を形成する色は、上述したように寒色系の色であることが望ましい。寒色系の色としては、例えば、マンセル表色系の色相環（マンセル色相環）の５ＧＹ〜５ＰＢ（緑〜青）の範囲に含まれる色を例示できる。このような寒色系の色は、一般的に、寒さや冷たさを感じさせ、鎮静効果を生じさせる色であることから、ユーザーに対して、冷感剤配置領域７０に設けられた冷感剤による清涼感や快適感をより想起させやすくすることができる。なお、着色部８１の色は、市販の測色器（例えば、コニカミノルタ社製の色彩色差計ＣＲ−４００又はそれと同等のもの）を用いて測定することができる。また、色の範囲は、上述のようなマンセル表色系で表されるものには限られず、他の表色系で表される同等の色であっても良い。例えば、オストワルト色相環の１３〜２４の範囲に含まれる色としても良い。
【００８８】
＜視認領域８０の変形例＞
本実施形態における視認領域８０は、ユーザーが視認することによって識別可能な領域であればよく、以下のように変形することもできる。
【００８９】
図７は、視認領域８０の変形例について表す平面図である。図７の変形例において、視認領域８０は、後側胴回り部４０に設けられた胴回り弾性部材４５の一部を上述したような寒色系の色で着色することによって、視覚的に識別可能となっている領域である。具体的には、厚さ方向に見たときに肌面シート４６と重複する領域に設けられている複数の胴回り弾性部材４５が着色された弾性部材着色部８２（図７において太線で表示されている）によって、視認領域８０が構成されている。そして、厚さ方向に見たときに、視認領域８０（弾性部材着色部８２）の少なくとも一部が、冷感剤配置領域７０と重複若しくは隣接して配置されていることにより、おむつ１に冷感剤が設けられていることをユーザーに認識させやすくすることができる。
【００９０】
なお、上述したように、視認領域８０は、ユーザーが視認することによって識別可能な領域であればよい。したがって、後側胴回り部４０のうち或る領域に設けられている胴回り弾性部材４５が着色されておらず、その領域の周囲に設けられている胴回り弾性部材４５が着色されているような場合に、当該或る領域を識別することが可能であれば、その領域（胴回り弾性部材４５が着色されていない領域）を視認領域８０としても良い。
【００９１】
つまり、胴回り弾性部材４５が所定の色で着色されている第１弾性部材着色領域と、胴回り弾性部材４５が着色されていない第２弾性部材着色領域とを有している場合に、第１弾性部材着色領域及び第２弾性部材着色領域の何れか一方によって視認領域８０を構成することが可能である。このように、周囲とは異なる色を有する弾性部材を視覚的に識別させることにより、ユーザーに冷感剤の存在を認識させ、清涼感や快適感を想起させやすくすることができる。
【００９２】
図８は、視認領域８０の他の変形例について表す平面図である。図８の変形例において、視認領域８０は、後側胴回り部４０を構成する複数のシート部材のうち何れかを厚さ方向に貫通する複数の貫通孔４８が設けられていることによって、視覚的に識別可能となっている領域である。具体的には、肌面シート４６を厚さ方向に貫通する複数の貫通孔４８が設けられた開孔部８３によって、視認領域８０が構成されている。そして、厚さ方向に見たときに、視認領域８０（開孔部８３）の少なくとも一部が、冷感剤配置領域７０と重複若しくは隣接して配置されていることにより、おむつ１に冷感剤が設けられていることをユーザーに認識させやすくすることができる。
【００９３】
視認領域８０は、ユーザーが視認することによって識別可能であればよい。したがって、後側胴回り部４０のうち、或る領域において単位面積あたりに設けられている貫通孔４８の数が少なく（例えば所定数未満）、その領域の周囲において単位面積あたりに設けられている貫通孔４８の数が多い（例えば所定数以上）場合に、当該或る領域を識別することが可能であれば、その領域（単位面積当たりの貫通孔４８が所定数未満の領域）を視認領域８０としても良い。
【００９４】
つまり、複数の貫通孔４８が設けられた第１開孔領域と、第１開孔領域よりも単位面積当たりに設けられた貫通孔４８の数が少ない第２開孔領域とを有している場合に、第１開孔領域及び第２開孔領域の何れか一方によって視認領域８０を構成することが可能である。このように、周囲とは開孔率が異なる領域を視覚的に識別させることにより、ユーザーに冷感剤の存在を認識させ、清涼感や快適感を想起させやすくすることができる。
【００９５】
また、おむつ１が、図４で説明した着色部８１によって構成される視認領域８０（第１視認領域とする）と、図７で説明した弾性部材着色部８２によって構成される視認領域８０（第２視認領域とする）と、図８で説明した開孔部８３によって構成される視認領域８０（第３視認領域とする）と、のうち２種類以上の視認領域８０を有していても良い。この場合、厚さ方向に見たときに、第１〜第３視認領域のうち少なくとも２つが重複する部分を有していることが望ましい。２種類以上の視認領域８０を重ねて配置することにより、ユーザーの視認性がより高まり、冷感剤の存在をより認識させやすくすることができる。したがって、おむつ１の清涼感や快適感をより想起させやすくすることができる。
【００９６】
＜視認領域８０の配置について＞
本実施形態のおむつ１では、図４等に示されるように、胴回り部材２０に視認領域８０が設けられている。胴回り部材２０は、発汗が生じやすい着用者の胴回り域にフィットする部位であるため、おむつ１の着用時において、蒸れが生じる等の理由により着用者に不快感を生じさせるおそれがある。これに対して、胴回り部材２０に視認領域８０が設けられていれば、ユーザーは、当該胴回り部材２０に冷感剤が設けられていることを認識しやすく、冷感剤による清涼感や快適性を想起しやすくなる。したがって、ユーザーは安心しておむつ１を着用することができるようになる。
【００９７】
また、視認領域８０は、胴回り部材２０の上下方向における中央位置よりも上側に配置されている。図４では、後側胴回り部４０の上端４０ｅｕと、下端４０ｅｄとの中間位置４０ｃよりも上側に視認領域８０が配置されている。おむつ１の着用時において、着用者の身体に胴回り部材２０が当接する領域のうち、上下方向の上側（胴回り開口ＢＨに近い位置）ほど発汗量が多く汗が溜まり易いため、蒸れが生じやすくなる。そこで、上下方向における中央位置４０ｃよりも上側に視認領域８０を配置しておくことで、当該上側の領域に冷感剤が設けられていることを着用者（ユーザー）に認識させやすくすることができる。
【００９８】
また、視認領域８０は、胴回り部材２０のうち、後側胴回り部４０に配置されている。おむつ１の着用者である人間の身体は、通常、腹側（前側）よりも背側（後側）の方が汗腺の数が多く、背側において汗をかきやすくなっている。そのため、後側胴回り部４０に視認領域８０を配置して、ユーザーに冷感剤の存在を認識させることにより、汗をかきやすい背側においてユーザーに清涼感や快適感をより想起させやすくすることができる。
【００９９】
また、視認領域８０は、図３に示されるように、胴回り部材２０のうち最も肌側に配置されている肌面シート４６（３６）に設けられていることが望ましい。このような構成であれば、ユーザーは、胴回り部材２０の肌側面において視認領域８０を視認しやすくなる。したがって、ユーザーは、おむつ１の着用時において着用者の肌と当接する胴回り部材２０の肌側面付近に冷感剤が設けられていることを認識しやすく、清涼感や快適感をより想起しやすくなる。
【０１００】
また、視認領域８０は、上下方向及び左右方向の少なくとも一方に不連続な部分を有していることが望ましい。仮に、視認領域８０が胴回り部材２０の全体に亘って連続的に形成され、不連続部分を有していなかった場合、視認領域８０を他の領域と識別することができなくなるため、ユーザーは冷感剤の存在を認識し難くなる。これに対して、本施形態の視認領域８０は、上下方向及び左右方向の一方に不連続となる部分を有している。例えば、図４では肌面シート４６に設けられた着色部８１によって視認領域８０が構成されているが、当該着色部８０は上下方向において不連続となる部分（例えば間隔ｇｌ７０の部分）を有している。したがって、当該着色部８１と、着色部８１に隣接する非着色部との境界部にコントラストが生じ、ユーザーは着色部８１（視認領域８０）を識別しやすくなる。これにより、ユーザーに冷感剤の存在を認識させやすくすることができる。
【０１０１】
また、視認領域８０は、前側胴回り部３０及び後側胴回り部４０を連結するサイド接合部５０と重複して配置されていることが望ましい。視認領域８０が図４の着色部８１や、図７の弾性部材着色部８２によって構成されている場合、サイド接合部５０と重複する部分では、前側胴回り部３０及び後側胴回り部４０に対して視認領域（着色部）が厚さ方向に押し付けられ、色が濃く見えるようになる。したがって、視認領域８０がユーザーにより視認されやすくなることから、冷感剤の存在を認識させやすくすることができる。
【０１０２】
また、視認領域８０の大きさは、冷感剤配置領域７０の大きさよりも大きいことが望ましい。本実施形態では、図４に示されるように、視認領域８０の面積が冷感剤配置領域７０の面積よりも大きく、冷感剤配置領域７０の全体を含むように視認領域８０が配置されている。このような構成であれば、ユーザーは、視認領域８０が配置されている範囲内で冷感剤による冷感効果が生じることを一見して理解しやすくなる。例えば、図４の場合、視認領域８０が配置されている後側胴回り部４０の上方領域にて清涼感や快適感を得やすくなることが明確になるので、ユーザーは安心しておむつ１を着用することができるようになる。
【０１０３】
そして、おむつ１では、肌面シート４６の全体に亘って視認領域８０が配置されており、当該視認領域８０の一部の領域に冷感剤配置領域７０が設けられている。上述したように、肌面シート４６は、おむつ１の着用時に着用者の肌と直接接触する部位である。したがって、そのような肌面シート４６の広い範囲（全体）に視認領域８０が配置されていることにより、ユーザーは、おむつ１を着用した際に、背側ウエスト部において広く冷感効果が生じ、清涼感や快適感を得られることを容易に把握することができる。
【０１０４】
また、後側胴回り部４０の左右方向の中央部には、視認領域８０が配置されており、且つ、冷感剤配置領域７０が配置されていない。図５で説明したように、おむつ１の着用時において、後側胴回り部４０の左右方向の中央部は、腸骨稜の間の窪みの部分に位置する。したがって、仮に、この領域（左右方向の中央部）に冷感剤が設けられていたとしても着用者の肌とは当接し難く、清涼感や快適感には寄与し難い。そのため、本実施形態のおむつ１では左右方向に中央部には冷感剤を設けないことで、冷感剤の配置コストを低減させることができる。一方、当該中央部に視認領域８０が配置されていることで、ユーザーは視認領域８０の全体として冷感効果が生じることを想起するようになるため、安心しておむつ１を着用することができる。
【０１０５】
ところで、おむつ１は、折り畳まれてコンパクトな形状とした上で、所定の包装部材によって包装された状態で市場に流通される。そのため、本実施形態のおむつ１では、折り畳み状態であってもユーザーが冷感剤の存在を容易に認識できるようにしている。図９Ａ〜図９Ｃは、パンツ型状態のおむつ１を包装する際の折り畳み方法の一例について説明する図である。
【０１０６】
おむつ１を折り畳む際には、先ず、左右方向（横方向）における両側の端部が外側から内側に折り畳まれる。図９Ａでは、おむつ１の左右方向の一方側（左側）の端部領域９１が、上下方向（縦方向）に沿った折り曲げ線Ｆ１にて左右方向の他方側（右側）且つ前後方向の前側に折り曲げられる。同様に、おむつ１の左右方向の他方側（右側）の端部領域９２が、上下方向（縦方向）に沿った折り曲げ線Ｆ２にて左右方向の一方側（左側）且つ前後方向の前側に折り曲げられる。次いで、図９Ｂのように、領域９１及び領域９２が内側となるように、おむつ１を上下方向（縦方向）に２つ折りにする。具体的には、おむつ１の上下方向の一方側（下側）の領域９３が、左右方向（横方向）に沿った折り曲げ線Ｆ３にて上下方向の他方側（上側）且つ前後方向の前側に折り曲げられる。これらの折り畳み動作を経ることで、おむつ１は最終的に図９Ｃに示されるようなコンパクトな形状の折り畳み状態となる。おむつ１は、この折り畳み状態で所定の包装部材によって包装され、おむつ１の包装体として市場に流通する。なお、おむつ１の折り畳み方は図９Ａ〜図９Ｃの例に限られるものではなく、他の方法によって折り畳まれるのであっても良い。
【０１０７】
おむつ１がこのように折り畳まれる場合、折り曲げ線と重複するように視認領域８０が配置されていることが望ましい。図９Ａの例では、折り曲げ線Ｆ１及びＦ２と重複するように視認領域８０が配置されている。そして、視認領域８０が折り曲げ線Ｆ１及びＦ２にて折り曲げられると、当該折り曲げ線Ｆ１，Ｆ２にておむつ１（胴回り部材２０）が厚さ方向に凸状に変形し、凸形状の頂点においてシート部材同士が厚さ方向に密着しやすくなる。したがって、図４で説明した着色部８１によって視認領域８０が構成されているような場合には、着色部８１が他のシート部材（例えば、肌側シート４１や非肌側シート４２）と厚さ方向に密着することで色が濃く見えるようになる。すなわち、折り畳まれた状態のおむつ１において、視認領域８０がより視認しやすくなる。したがって、ユーザーに冷感剤の存在を認識させやすくすることができる。
【０１０８】
また、おむつ１が折り畳まれた状態で、視認領域８０の少なくとも一部が視認可能であることが望ましい。仮に、視認領域８０が内側になるようにおむつ１が折り畳まれていた場合、折り畳まれた状態では外側から視認領域８０が見え難くなる。この場合、ユーザーが包装体からおむつ１を取り出したときに、視認領域８０を視認することができないため、おむつ１に冷感剤が設けられていることも認識され難くなる。これに対して、本実施形態のおむつ１では、折り畳まれた状態で外側から視認領域８０を視認することが可能であるため（図９Ｃ参照）、ユーザーが包装体からおむつ１を取り出した時点（すなわち、おむつ１の使用開始前）で、視認領域８０を視認することが可能であり、冷感剤が設けられていることを認識できるようになる。したがって、おむつ１を使用する前からユーザーに清涼感や快適感を想起させやすくすることができる。
【０１０９】
＜胴回り部材２０の変形例＞
図１０は、おむつ１の胴回り部材２０の変形例について表す概略断面図である。同図１０は、図３に対応する図であり、展開且つ伸長させた状態のおむつ１について、左右方向の中央位置における厚さ方向の断面状態を表している。本変形例では、前側胴回り部３０において、肌面シート３６が設けられていない。そして、非肌側シート３２の一部が前側胴回り部３０の上端３０ｅｕにて、厚さ方向の非肌側から肌側、且つ、上下方向（縦方向）の上側から下側に折り返された折り返し部３２ｆを有している。同様に、後側胴回り部４０において、肌面シート４６が設けられておらず、非肌側シート４２の一部が後側胴回り部４０の上端４０ｅｕにて折り返された折り返し部４２ｆが設けられている。この折り返し部３２ｆ，４２ｆが吸収性本体１０の上端１０ｅａ，１０ｅｂを跨ぐように肌側から覆うことで、それぞれ肌面シート３６，４６と同等の機能が実現される。すなわち、図１０の変形例において、折り返し部３２ｆ，４２ｆは、肌面シート３６，４６に対応している。
【０１１０】
図１０の変形例では、後側胴回り部４０において、肌側シート４１と折り返し部４２ｆとの間に冷感剤配置領域７０及び視認領域８０が形成されている。このような構成とした場合であっても、ユーザーは視認領域８０を視認することによっておむつ１に冷感剤が設けられていることを認識しやすいため、ユーザーに清涼感や快適感を想起させやすくすることができる。
【０１１１】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。
【０１１２】
上述の実施形態では、冷感剤配置領域７０を形成する冷感剤として、受容体活性化チャネル（ＴＲＰＭ８）に作用するメントール等の物質が例示されていたが、この限りではない。例えば、大気圧下で香気成分を大気中に揮散することにより着用者の冷感を促進する香料を冷感剤として用いても良い。香料としては、当該技術分野において従来用いられてきたものと同様のものを用いることができるが、例えばグリーンハーバル調の香料（グリーンハーバル様香気）を用いた場合には、精神的な不快症状を身体に物理的刺激を与えることなく、着用者に快適感を感じさせることができる。
【０１１３】
グリーンハーバル様香気は、グリーン様香気（グリーンノート）又はハーバル様香気（ハーバルノート）を含む香調である。グリーン様香気とは、草や若葉のすがすがしい香調をいう。ハーバル様香気（ハーバルノート）とは、ハーブを用いた自然で、薬草的な香り立ちが特徴の香調をいう。グリーンハーバル様香気を有する香料を含有する香料組成物は、シス-３-ヘキセノール、ギ酸シス-３-ヘキセニル、酢酸シス-３-ヘキセニル、プロピオン酸シス-３-ヘキセニル、酪酸シス-３-ヘキセニル、トランス-２-ヘキセナール、酢酸トランス-２-ヘキセニル、酢酸ヘキシル、酢酸スチラリル、２-メチル-３-（３，４-メチレンジオキシフェニル）-プロパナール（ＩＦＦ社名、ヘリオナール）、３（４）-（５-エチルビシクロ［２，２，１］ヘプチル-２）-シクロヘキサノール、２-ペンチロキシグリコール酸アリル（ＩＦＦ社名、アリルアミルグリコレート）、４-メチル-３-デセン-５-オール（Ｇｉｖａｕｄａｎ社名、ウンデカベルトール）、ヘキシルアルデヒド、２，４-ジメチル-３-シクロヘキセニルカルボキシアルデヒド（ＩＦＦ社名、トリプラール）及びフェニルアセトアルデヒドより選択される１種又は２種以上の香料を含有することが好ましい。これらの香料として市販品を用いることもできる。これらが含まれる香料は主にグリーン様香気を生ずるものである。グリーンハーバル様香気を有する香料を含有する香料組成物は、更に、ｌ-メントール、１，８-シネオール、サリチル酸メチル、シトロネラール、カンファー、ボルネオール、酢酸イソボルニル、酢酸ターピニル、オイゲノール、アネトール、４-メトキシベンジルアルコール及びエストラゴールより選択される１種又は２種以上の香料を含有することが好ましい。これらが含まれる香料は、主として、ハーバル様香気を生ずるものである。
【０１１４】
なお、冷感剤として香料を用いた場合も、気化して効果を発揮する仕組み（メカニズム）はメントール等と同様であることから、上述した冷感効果と同様の効果が得られる。
【符号の説明】
【０１１５】
１  おむつ（吸収性物品）、
１０  吸収性本体、
１０ｅａ  上端（前側、腹側）、１０ｅｂ  上端（後側、背側）、
１１  吸収性コア、１１ｂ  コアラップシート、１１ｃ  くびれ部、
１２  トップシート、
１３  バックシート、１３ａ  液不透過性シート、１３ｂ  外装シート、
２０  胴回り部材、
３０  前側胴回り部、
３０ｅｕ  上端、３０ｓｗ  側部、
３１  肌側シート、３２  非肌側シート、３２ｆ  折り返し部、
３５  胴回り弾性部材、
３６  肌面シート、
４０  後側胴回り部、４０ｂ  臀部カバー、
４０ｅｕ  上端、４０ｓｗ  側部、
４１  肌側シート、４２  非肌側シート、４２ｆ  折り返し部、
４５  胴回り弾性部材、
４６  肌面シート、４７  後脚回り弾性部材、４８  貫通孔、
５０  サイド接合部、
６０  本体接合部、
６１  前側本体接合部、６２  後側本体接合部、
７０  冷感剤配置領域、
７１  第１冷感剤配置領域、７２  第２冷感剤配置領域、
７５  冷感剤非配置領域、
８０  視認領域、
８１  着色部、８２  弾性部材着色部、８３  開孔部、
９１  領域、９２  領域、９３  領域、
ＢＨ  胴回り開口、ＬＨ  脚回り開口、
ＣＬ  中央位置（縦方向、長手方向）、
Ｆ１  折り曲げ線、Ｆ２  折り曲げ線、Ｆ３  折り曲げ線、
ＯＬ３０  前側重複領域、ＯＬ４０  後側重複領域
【要約】
【課題】ユーザーに対して清涼感や快適感を想起させやすい吸収性物品を提供する。
【解決手段】吸収性本体（１０）と、吸収性本体（１０）の非肌側に接合された胴回り部材（２０）とを有する吸収性物品（１）であって、冷感剤が設けられた冷感剤配置領域（７０）と、冷感剤の存在を示す視認領域（８０）と、を有し、吸収性物品（１）を展開した状態で厚さ方向に見たときに、冷感剤配置領域（７０）と視認領域（８０）とが少なくとも一部で重複または隣接している、
【選択図】図４【図１】
0006936379.tif 000002
【図２】
0006936379.tif 000003
【図３】
0006936379.tif 000004
【図４】
0006936379.tif 000005
【図５】
0006936379.tif 000006
【図６】
0006936379.tif 000007
【図７】
0006936379.tif 000008
【図８】
0006936379.tif 000009
【図９】
0006936379.tif 000010
【図１０】
0006936379.tif 000011